(57)【要約】      （修正有）【課題】第１接続ロッドと第２接続ロッドとにカバーロッドが外嵌することにより、使用時にカバーロッドを回動接続ユニットに被せ、回動接続ユニットを遮蔽して保護できる折り畳みシャベルを提供する。【解決手段】折り畳みシャベルは、シャベル部１と、シャベル部に接続された接続ロッドと、接続ロッドに接続された取っ手と、を含む。接続ロッドは、互いに接続された第１接続ロッド３および第２接続ロッド４を含む。第１接続ロッドと第２接続ロッドとの接続部分は、接続ピース６、７と回動ピース８を含む回動接続ユニットによって回動可能に接続されている。折り畳みシャベルは、第１接続ロッド、第２接続ロッド、第１接続ロッドと第２接続ロッドとの接続部分に移動可能に外嵌されたカバーロッド５をさらに含む。【選択図】図４
0003220768.tif 000002
【実用新案登録請求の範囲】
【請求項１】
シャベル部と、前記シャベル部に接続される接続ロッドと、前記接続ロッドに接続される取っ手と、を含み、前記接続ロッドは、互いに接続された第１接続ロッド及び第２接続ロッドを含み、前記第１接続ロッドと前記第２接続ロッドとの接続部分は回動接続ユニットにより回動可能に接続されている折り畳みシャベルであって、
前記第１接続ロッド、前記第２接続ロッド、及び前記第１接続ロッドと前記第２接続ロッドとの前記接続部分に移動可能に外嵌されるカバーロッドをさらに含むことを特徴とする、
折り畳みシャベル。
【請求項２】
前記カバーロッドには、異なる位置に位置する第１位置決め孔及び第２位置決め孔が設けられ、前記第１接続ロッドには弾性位置決めピンが設けられ、
前記弾性位置決めピンが前記カバーロッドの前記第１位置決め孔内に係止される時、前記カバーロッドは前記第１接続ロッドに外嵌され、且つ前記第１接続ロッドと前記第２接続ロッドとの前記接続部分は前記カバーロッドの端部の外に位置し、
前記弾性位置決めピンが前記カバーロッドの前記第２位置決め孔内に係止される時、前記カバーロッドは前記第１接続ロッドと前記第２接続ロッドに外嵌され、且つ前記第１接続ロッドと前記第２接続ロッドとの前記接続部分は前記カバーロッドの内部に位置することを特徴とする、
請求項１に記載の折り畳みシャベル。
【請求項３】
前記回動接続ユニットは、第１接続ピースと、第２接続ピースと、回動ピースと、第１回動軸と、第２回動軸とを含み、
前記第１接続ピースは前記第１接続ロッドの端部に設けられ、前記第１接続ピースには第１回動接続溝が開けられ、前記第１回動接続溝の両側の壁には第１軸穴が対称に開けられ、
前記第２接続ピースは前記第２接続ロッドの端部に設けられ、前記第２接続ピースには第２回動接続溝が開けられ、前記第２回動接続溝の側壁には第２軸穴が開けられ、
前記回動ピースの第１端には第１貫通孔が設けられ、前記回動ピースの第２端には第２貫通孔が設けられ、前記回動ピースの第１端は前記第１接続ピースの前記第１回動接続溝内に挿入され、前記回動ピースの第２端は前記第２接続ピースの前記第２回動接続溝内に挿入され、
前記第１回動軸の中央部は、前記回動ピースの前記第１貫通孔を貫通し、前記第１回動軸の両端は前記第１回動接続溝の両側の壁の前記第１軸穴内に回動可能に取り付けられ、
前記第２回動軸の中央部は、前記回動ピースの前記第２貫通孔を貫通し、前記第２回動軸の両端は前記第２回動接続溝の両側の壁の前記第２軸穴内に回動可能に取り付けられることを特徴とする、
請求項２に記載の折り畳みシャベル。
【請求項４】
前記第１回動接続溝の開口はＬ字形を呈し、前記第１回動接続溝の一辺の開口は前記第１接続ピースの一側面に位置し、前記第１回動接続溝の他辺の開口は前記第１接続ピースの隣接する面に位置し、前記第２接続ピースは前記第１接続ピースと同一構造であることを特徴とする、
請求項３に記載の折り畳みシャベル。
【請求項５】
前記第１接続ロッドの端部には、前記回動ピースが回動する時に前記回動ピースの第１端の位置を制限する第１開口が開けられ、前記第２接続ロッドの端部には、前記回動ピースが回動する時に前記回動ピースの第２端の位置を制限する第２開口が開けられていることを特徴とする、
請求項４に記載の折り畳みシャベル。
【請求項６】
前記第２接続ロッドにはブッシュが外嵌され、前記弾性位置決めピンが前記カバーロッドの前記第２位置決め孔内に係止された時に、前記カバーロッドの端部がちょうど前記ブッシュの端部と突っ張りあうことを特徴とする、
請求項５に記載の折り畳みシャベル。
【請求項７】
前記シャベル部は前記ブッシュに外嵌されて接続され、前記取っ手は前記第１接続ロッドに接続されていることを特徴とする、
請求項６に記載の折り畳みシャベル。
【請求項８】
前記弾性位置決めピンは前記第１接続ピースに取り付けられ、その端部は前記第１接続ロッドから外に出ていることを特徴とする、
請求項２に記載の折り畳みシャベル。
【請求項９】
前記第１接続ロッドは伸縮ロッドであることを特徴とする、
請求項１〜８のいずれか１項に記載の折り畳みシャベル。
【考案の詳細な説明】
【技術分野】
【０００１】
本考案は折り畳みシャベルに関する。
【背景技術】
【０００２】
シャベルは人々の生活において頻繁に使用される道具であり、一般的に「掘る」「押す／すくう」という２つの目的で使われる。既存のシャベルは、シャベルヘッドと、接続ロッドと、取っ手と、から成る。シャベルヘッドは接続ロッドの前端に取り付けられ、取っ手は接続ロッドの後端に設けられる。シャベルヘッドと、接続ロッドと、取っ手との間の接続は固定式であり、且つ、接続ロッドも通常は一体構造である。シャベルは、製造後はその長さが既に固定されてしまい、変更することができない。このようなシャベルは、普段の使用においては問題がないが、運送時や保管時に、長さが固定されているため、保管しにくく、運送も面倒であり、シャベルが占める空間も比較的大きい。このため、既存技術において、携帯しやすいように、取っ手又は接続ロッドが折り畳める折り畳みシャベルが存在する。しかし、既存の折り畳み取っ手又は折り畳み接続ロッドに用いられる回動接続構造は、ほとんどの場合、直接外に露出しているため、外の埃や土、湿った空気により腐食しやすい。また、構造が比較的複雑であるため、依然として更なる改良が待たれる。
【考案の概要】
【考案が解決しようとする課題】
【０００３】
本考案が解決しようとする技術的課題は、上述の既存技術に対して、使用時に、回動接続ユニットを遮蔽して保護する折り畳みシャベルを提供することにある。
【課題を解決するための手段】
【０００４】
本考案が上述の技術的課題を解決するために以下の技術的手段を採用する。
【０００５】
折り畳みシャベルは、シャベル部と、シャベル部に接続された接続ロッドと、接続ロッドに接続された取っ手と、を含む。接続ロッドは、互いに接続された第１接続ロッド及び第２接続ロッドを含む。第１接続ロッドと第２接続ロッドとの接続部分は、回動接続ユニットによって回動可能に接続されている。折り畳みシャベルは、第１接続ロッド、第２接続ロッド、及び第１接続ロッドと第２接続ロッドとの接続部分に、移動可能に外嵌されるカバーロッドをさらに含むことを特徴とする。
【０００６】
改良として、カバーロッドには、異なる位置に位置する第１位置決め孔及び第２位置決め孔が設けられる。第１接続ロッドには弾性位置決めピンが設けられる。弾性位置決めピンがカバーロッドの第１位置決め孔内に係止される時、カバーロッドは第１接続ロッドに外嵌され、且つ第１接続ロッドと第２接続ロッドとの接続部分はカバーロッド端部の外に位置する。弾性位置決めピンがカバーロッドの第２位置決め孔内に係止される時、カバーロッドは第１接続ロッドと第２接続ロッドに外嵌され、且つ第１接続ロッドと第２接続ロッドとの接続部分はカバーロッドの内部に位置する。
【０００７】
更なる改良として、回動接続ユニットは、第１接続ピースと、第２接続ピースと、回動ピースと、第１回動軸と、第２回動軸と、を含む。
【０００８】
第１接続ピースは第１接続ロッドの端部に設けられる。第１接続ピースには第１回動接続溝が開けられる。第１回動接続溝の両側の壁には、第１軸穴が対称に開けられる。
【０００９】
第２接続ピースは第２接続ロッドの端部に設けられる。第２接続ピースには、第２回動接続溝が開けられる。第２回動接続溝の側壁には、第２軸穴が開けられる。
【００１０】
回動ピースの第１端には第１貫通孔が設けられる。回動ピースの第２端には第２貫通孔が設けられる。回動ピースの第１端は第１接続ピースの第１回動接続溝内に挿入される。回動ピースの第２端は第２接続ピースの第２回動接続溝内に挿入される。
【００１１】
第１回動軸の中央部は回動ピースの第１貫通孔を貫通し、第１回動軸の両端は第１回動接続溝の両側の壁の第１軸穴に回動可能に取り付けられる。
【００１２】
第２回動軸の中央部は回動ピースの第２貫通孔を貫通し、第２回動軸の両端は第２回動接続溝の両側の壁の第２軸穴に回動可能に取り付けられる。
【００１３】
更なる改良として、第１回動接続溝の開口はＬ字形を呈する。第１回動接続溝の一辺の開口は第１接続ピースの一側面に位置し、第１回動接続溝の他辺の開口は第１接続ピースの隣接する側面に位置する。第２接続ピースと第１接続ピースの構造は同一である。
【００１４】
更なる改良として、第１接続ロッドの端部には、回動ピースが回動する時に回動ピースの第１端の位置を制限する第１開口が開けられている。第２接続ロッドの端部には回動ピースが回動する時に回動ピースの第２端の位置を制限する第２開口が開けられている。
【００１５】
更なる改良として、第２接続ロッドにはブッシュが外嵌される。弾性位置決めピンがカバーロッドの第２位置決め孔内に係止される時、カバーロッドの端部はちょうどブッシュの端部と突っ張りあう。
【００１６】
更なる改良として、シャベル部はブッシュに外嵌されて接続される。取っ手は第１接続ロッドに接続される。
【００１７】
更なる改良として、弾性位置決めピンは第１接続ピースに取り付けられる。その端部は、第１接続ロッドから外に出ている。
【００１８】
更なる改良として、第１接続ロッドは伸縮ロッドである。
【考案の効果】
【００１９】
既存技術と比較した本考案の長所は、第１接続ロッドと第２接続ロッドとにカバーロッドが外嵌することにより、シャベルの使用時に、カバーロッドを回動接続ユニットに被せ、回動接続ユニットを遮蔽して保護できることにある。
【図面の簡単な説明】
【００２０】
【図１】本考案の実施例における折り畳みシャベルの折り畳んだ状態を示す模式図である。
【図２】本考案の実施例における折り畳みシャベルの広げた状態を示す模式図である（弾性位置決めピンがカバーロッドの第１位置決め孔に係止された状態）。
【図３】本考案の実施例における折り畳みシャベルの広げた状態を示す第２の模式図である（弾性位置決めピンがカバーロッドの第２位置決め孔に係止された状態）。
【図４】本考案の実施例における折り畳みシャベルの分解図である。
【考案を実施するための形態】
【００２１】
以下、図面と実施例を関連付け、本実用新案について、さらに詳しく説明する。
【００２２】
図１〜４に示す折り畳みシャベルは、シャベル部１と、シャベル部と接続された接続ロッドと、接続ロッドと接続された取っ手２と、を含む。接続ロッドは互いに接続された第１接続ロッド３及び第２接続ロッド４を含む。第１接続ロッド３は伸縮ロッドである。第１接続ロッドと第２接続ロッドとの接続部分は、回動接続ユニットにより回動可能に接続されている。第１接続ロッド３と第２接続ロッド４との外には、カバーロッド５が移動可能に設けられている。カバーロッド５には、異なる位置に位置する第１位置決め孔５１及び第２位置決め孔５２が設けられている。第１接続ロッド３には、弾性位置決めピン３３が設けられている。弾性位置決めピン３３がカバーロッド５の第１位置決め孔５１内で係止される時、カバーロッド５は第１接続ロッド３に外嵌され、且つ、第１接続ロッドと第２接続ロッドの接続部分はカバーロッド５の端部の外に位置する。弾性位置決めピン３３がカバーロッド５の第２位置決め孔５２内で係止される時、カバーロッド５は第１接続ロッド３と第２接続ロッド４に外嵌され、且つ、第１接続ロッドと第２接続ロッドの接続部分は、カバーロッド５の内部に位置する。
【００２３】
回動接続ユニットは、第１接続ピース６と、第２接続ピース７と、回動ピース８と、第１回動軸９と、第２回動軸１０と、を含む。
【００２４】
第１接続ピース６は、第１接続ロッド３の端部に設けられる。第１接続ピース６には、第１回動接続溝６１が開けられている。第１回動接続溝６１の両側の壁には、第１軸穴６２が対称に開けられている。第１回動接続溝６１の開口はＬ字形を呈している。第１回動接続溝６１の一辺の開口は第１接続ピース６の一側面に設けられている。第１回動接続溝６１の他辺の開口は第１接続ピース６の隣接する側面に設けられている。本実施例では、弾性位置決めピン３３は第１接続ピース６に取り付けられ、その端部は第１接続ロッド３から外に出ている。
【００２５】
第２接続ピース７は、第２接続ロッド４の端部に設けられる。第２接続ピース７には、第２回動接続溝７１が開けられている。第２回動接続溝７１の側壁には、第２軸穴７２が開けられている。本実施例では、第２接続ピース７と第１接続ピース６の構造は同一であり、第２回動接続溝７１と第１回動接続溝６１の構造も同一である。
【００２６】
回動ピース８の第１端には、第１貫通孔８１が設けられている。回動ピース８の第２端には、第２貫通孔８２が設けられている。回動ピース８の第１端は、第１接続ピース６の第１回動接続溝６１に挿入される。回動ピース８の第２端は、第２接続ピース７の第２回動接続溝７１内に挿入される。
【００２７】
第１回動軸９の中央部は回動ピース８の第１貫通孔８１を貫通し、両端は第１回動接続溝６１の両側の壁の第１軸穴６２に回動可能に取り付けられる。
【００２８】
第２回動軸１０の中央部は回動ピース８の第２貫通孔８２を貫通し、両端は第２回動接続溝７１の両側の壁の第２軸穴７２に回動可能に取り付けられる。
【００２９】
第１接続ロッド３の端部には、回動ピース８が回動する時に回動ピース８の第１端の位置を制限する第１開口３１が開けられている。第２接続ロッド４の端部には、回動ピース８が回動する時に回動ピース８の第２端の位置を制限する第２開口４１が開けられている。第２接続ロッド３には、ブッシュ１１が外嵌されている。弾性位置決めピン３３がカバーロッド５の第２位置決め孔５２内に係止される時、カバーロッド５の端部はちょうどブッシュ１１の端部と突っ張りあう。シャベル部１はブッシュ１１に外嵌されて接続されている。取っ手２は第１接続ロッド３に接続されている。
【００３０】
使用時には、カバーロッド５を取っ手方向にスライドさせて、第１回動軸９を中心として第１接続ロッド３を回動させ、第２回動軸１０を中心として第２接続ロッド４を回動させて、第１接続ロッド３と第２接続ロッド４とが同一直線上にあるようにする。そして、カバーロッド５をシャベル部１の方向にスライドさせて、弾性位置決めピン３３をカバーロッド５の第２位置決め孔５２内に係止させる。この時、カバーロッド５は第１接続ロッド３と第２接続ロッド４に外嵌し、且つ、第１接続ロッドと第２接続ロッドの接続部分はカバーロッド５の内部に位置する。カバーロッド５、第１接続ロッド３、第２接続ロッド４、及び取っ手２が一体となり、シャベルを使った作業を行うことができる。使用しない時は、カバーロッド５を取っ手方向にスライドさせて、第１回動軸９を中心として第１接続ロッド３を回動させ、第２回動軸１０を中心として第２接続ロッド４を回動させて、第１接続ロッド３と第２接続ロッド４を折り畳む。そして、弾性位置決めピン３３をカバーロッド５の第１位置決め孔５１内に係止させ、カバーロッド５をロックする。この時、カバーロッド５は第１接続ロッド３に外嵌し、且つ第１接続ロッドと第２接続ロッドの接続部分はカバーロッド５の端部の外に位置する。
【図１】
0003220768.tif 000003
【図２】
0003220768.tif 000004
【図３】
0003220768.tif 000005
【図４】
0003220768.tif 000006
【手続補正書】
【提出日】平成31年1月29日(2019.1.29)
【手続補正１】
【補正対象書類名】実用新案登録請求の範囲
【補正対象項目名】全文
【補正方法】変更
【補正の内容】
【実用新案登録請求の範囲】
【請求項１】
シャベル部と、前記シャベル部に接続される接続ロッドと、前記接続ロッドに接続される取っ手と、を含み、前記接続ロッドは、互いに接続された第１接続ロッド及び第２接続ロッドを含み、前記第１接続ロッドと前記第２接続ロッドとの接続部分は回動接続ユニットにより回動可能に接続されている折り畳みシャベルであって、
前記第１接続ロッド、前記第２接続ロッド、及び前記第１接続ロッドと前記第２接続ロッドとの前記接続部分に移動可能に外嵌されるカバーロッドをさらに含むことを特徴とする、
折り畳みシャベル。
【請求項２】
前記カバーロッドには、異なる位置に位置する第１位置決め孔及び第２位置決め孔が設けられ、前記第１接続ロッドには弾性位置決めピンが設けられ、
前記弾性位置決めピンが前記カバーロッドの前記第１位置決め孔内に係止される時、前記カバーロッドは前記第１接続ロッドに外嵌され、且つ前記第１接続ロッドと前記第２接続ロッドとの前記接続部分は前記カバーロッドの端部の外に位置し、
前記弾性位置決めピンが前記カバーロッドの前記第２位置決め孔内に係止される時、前記カバーロッドは前記第１接続ロッドと前記第２接続ロッドに外嵌され、且つ前記第１接続ロッドと前記第２接続ロッドとの前記接続部分は前記カバーロッドの内部に位置することを特徴とする、
請求項１に記載の折り畳みシャベル。
【請求項３】
前記回動接続ユニットは、第１接続ピースと、第２接続ピースと、回動ピースと、第１回動軸と、第２回動軸とを含み、
前記第１接続ピースは前記第１接続ロッドの端部に設けられ、前記第１接続ピースには第１回動接続溝が開けられ、前記第１回動接続溝の両側の壁には第１軸穴が対称に開けられ、
前記第２接続ピースは前記第２接続ロッドの端部に設けられ、前記第２接続ピースには第２回動接続溝が開けられ、前記第２回動接続溝の側壁には第２軸穴が開けられ、
前記回動ピースの第１端には第１貫通孔が設けられ、前記回動ピースの第２端には第２貫通孔が設けられ、前記回動ピースの第１端は前記第１接続ピースの前記第１回動接続溝内に挿入され、前記回動ピースの第２端は前記第２接続ピースの前記第２回動接続溝内に挿入され、
前記第１回動軸の中央部は、前記回動ピースの前記第１貫通孔を貫通し、前記第１回動軸の両端は前記第１回動接続溝の両側の壁の前記第１軸穴内に回動可能に取り付けられ、
前記第２回動軸の中央部は、前記回動ピースの前記第２貫通孔を貫通し、前記第２回動軸の両端は前記第２回動接続溝の両側の壁の前記第２軸穴内に回動可能に取り付けられることを特徴とする、
請求項２に記載の折り畳みシャベル。
【請求項４】
前記第１回動接続溝の開口はＬ字形を呈し、前記第１回動接続溝の一辺の開口は前記第１接続ピースの一側面に位置し、前記第１回動接続溝の他辺の開口は前記第１接続ピースの隣接する面に位置し、前記第２接続ピースは前記第１接続ピースと同一構造であることを特徴とする、
請求項３に記載の折り畳みシャベル。
【請求項５】
前記第１接続ロッドの端部には、前記回動ピースが回動する時に前記回動ピースの第１端の位置を制限する第１開口が開けられ、前記第２接続ロッドの端部には、前記回動ピースが回動する時に前記回動ピースの第２端の位置を制限する第２開口が開けられていることを特徴とする、
請求項４に記載の折り畳みシャベル。
【請求項６】
前記第２接続ロッドにはブッシュが外嵌され、前記弾性位置決めピンが前記カバーロッドの前記第２位置決め孔内に係止された時に、前記カバーロッドの端部がちょうど前記ブッシュの端部と突っ張りあうことを特徴とする、
請求項５に記載の折り畳みシャベル。
【請求項７】
前記シャベル部は前記ブッシュに外嵌されて接続され、前記取っ手は前記第１接続ロッドに接続されていることを特徴とする、
請求項６に記載の折り畳みシャベル。
【請求項８】
前記弾性位置決めピンは第１接続ピースに取り付けられ、その端部は前記第１接続ロッドから外に出ていることを特徴とする、
請求項２に記載の折り畳みシャベル。
【請求項９】
前記第１接続ロッドは伸縮ロッドであることを特徴とする、
請求項１〜８のいずれか１項に記載の折り畳みシャベル。